(57)【特許請求の範囲】
【請求項１】
第１支持材及び第２支持材を有し直流電力で駆動される面光源と、前記面光源に直流電力を供給するために交流電力を直流電力に変換するＡＣ−ＤＣコンバータと、ダクトレールと、を備え、
前記ダクトレールは、表裏面の一方を第１面、他方を第２面とする板材と、第１溝を有する第１レールと、第２溝を有する第２レールと、前記第１溝からの前記第１支持材の抜けを防止する第１抜け防止手段と、前記第２溝からの前記第２支持材の抜けを防止する第２抜け防止手段と、を備え、
前記第１レール及び前記第２レールは、それぞれ前記第１面側に突出し、
前記第１レールと前記第２レールとの少なくとも一方が可動式であることにより前記第１レールと前記第２レールとの距離が可変であり、
前記ＡＣ−ＤＣコンバータは、前記板材の前記第２面に設けられ、
前記第１溝に前記第１支持材が挿入され、前記第２溝に前記第２支持材が挿入されることにより、前記面光源が前記ダクトレールに装着される、
ことを特徴とする照明装置。
【請求項２】
前記面光源は、有機ＥＬである、
ことを特徴とする請求項１に記載の照明装置。
【請求項３】
前記第１溝の底部に第１電極が設けられ、前記第２溝の底部に第２電極が設けられ、前記第１支持材の先端に第３電極が設けられ、前記第２支持材の先端に第４電極が設けられ、
前記第１溝に前記第１支持材が挿入されることで、前記第１電極が前記第３電極と電気的に接続され、前記第２溝に前記第２支持材が挿入されることで、前記第２電極が前記第４電極と電気的に接続される、
ことを特徴とする請求項１又は２に記載の照明装置。
【請求項４】
前記面光源は、前記第１レール及び前記第２レールをガイドにしてスライド移動できる、
ことを特徴とする請求項１乃至３のいずれか一項に記載の照明装置。
【請求項５】
第１支持材及び第２支持材を有する面光源が装着されるダクトレールであって、
表裏面の一方を第１面、他方を第２面とする板材と、
前記第１支持材が挿入される第１溝を有する第１レールと、
前記第２支持材が挿入される第２溝を有する第２レールと、
前記第１溝からの前記第１支持材の抜けを防止する第１抜け防止手段と、
前記第２溝からの前記第２支持材の抜けを防止する第２抜け防止手段と、
交流電力を直流電力に変換するＡＣ−ＤＣコンバータと、
を備え、
前記第１レール及び前記第２レールは、それぞれ前記第１面側に突出し、
前記第１レールと前記第２レールとの少なくとも一方が可動式であることにより前記第１レールと前記第２レールとの距離が可変であり、
前記ＡＣ−ＤＣコンバータは、前記板材の前記第２面に設けられる、
ことを特徴とするダクトレール。
【請求項６】
第１支持材及び第２支持材を有する面光源が装着されるダクトレールであって、
第１面を有する板材と、
前記板材の前記第１面に設けられ、前記第１支持材が挿入される第１溝を有する第１レールと、
前記板材の前記第１面に設けられ、前記第２支持材が挿入される第２溝を有する第２レールと、
前記第１溝からの前記第１支持材の抜けを防止する第１抜け防止手段と、
前記第２溝からの前記第２支持材の抜けを防止する第２抜け防止手段と、
を備え、
前記第１レールと前記第２レールとの少なくとも一方が可動式であることにより前記第
１レールと前記第２レールとの距離が可変である、
ことを特徴とするダクトレール。
【発明の詳細な説明】
【技術分野】
【０００１】
本発明は、屋内照明等に用いられる照明装置、及びこのような照明装置において光源を支持するために用いられるダクトレールに関する。
【背景技術】
【０００２】
特許文献１には、ダクトレールを有さない照明装置が開示されている。こうした照明装置では、配線後に光源を移動させることが困難である。
【０００３】
特許文献２には、光源を支持するためのダクトレールを有する照明装置が開示されている。このような照明装置では、配線後であっても、光源がダクトレール上を移動できる。しかしながら、このような照明装置は、ＡＣ−ＤＣコンバータを有さないため、直流電源でしか使用できない。直流電力で駆動される光源を、交流電源（例えば商用電源）を用いて点灯させる場合には、通常、ＡＣ−ＤＣコンバータが必要になる。
【０００４】
特許文献３には、ＡＣ−ＤＣコンバータを有する照明装置が開示されている。しかしながら、こうした照明装置では、ＡＣ−ＤＣコンバータを設けることで、光源ユニットの大型化が懸念される。
【先行技術文献】
【特許文献】
【０００５】
【特許文献１】特開２００８−０２７７８４号公報
【特許文献２】特開２００７−３１７５７５号公報
【特許文献３】特開２００７−２４２４９４号公報
【発明の概要】
【発明が解決しようとする課題】
【０００６】
本発明は、こうした実情に鑑みてなされたものであり、交流電源で駆動できる薄型の照明装置、及びこのような照明装置に適したダクトレールを提供することを目的とする。
【課題を解決するための手段】
【０００７】
本発明の第１の観点に係る照明装置は、第１支持材及び第２支持材を有し直流電力で駆動される面光源と、前記面光源に直流電力を供給するために交流電力を直流電力に変換するＡＣ−ＤＣコンバータと、ダクトレールと、を備え、前記ダクトレールは、表裏面の一方を第１面、他方を第２面とする板材と、第１溝を有する第１レールと、第２溝を有する第２レールと、前記第１溝からの前記第１支持材の抜けを防止する第１抜け防止手段と、前記第２溝からの前記第２支持材の抜けを防止する第２抜け防止手段と、を備え、前記第１レール及び前記第２レールは、それぞれ前記第１面側に突出し、前記第１レールと前記第２レールとの少なくとも一方が可動式であることにより前記第１レールと前記第２レールとの距離が可変であり、前記ＡＣ−ＤＣコンバータは、前記板材の前記第２面に設けられ、前記第１溝に前記第１支持材が挿入され、前記第２溝に前記第２支持材が挿入されることにより、前記面光源が前記ダクトレールに装着される。
【０００８】
本発明の第２の観点に係るダクトレールは、第１支持材及び第２支持材を有する面光源が装着されるダクトレールであって、表裏面の一方を第１面、他方を第２面とする板材と、前記第１支持材が挿入される第１溝を有する第１レールと、前記第２支持材が挿入される第２溝を有する第２レールと、前記第１溝からの前記第１支持材の抜けを防止する第１抜け防止手段と、前記第２溝からの前記第２支持材の抜けを防止する第２抜け防止手段と、交流電力を直流電力に変換するＡＣ−ＤＣコンバータと、を備え、前記第１レール及び前記第２レールは、それぞれ前記第１面側に突出し、前記第１レールと前記第２レールとの少なくとも一方が可動式であることにより前記第１レールと前記第２レールとの距離が可変であり、前記ＡＣ−ＤＣコンバータは、前記板材の前記第２面に設けられる。
本発明の第３の観点に係るダクトレールは、第１支持材及び第２支持材を有する面光源が装着されるダクトレールであって、第１面を有する板材と、前記板材の前記第１面に設けられ、前記第１支持材が挿入される第１溝を有する第１レールと、前記板材の前記第１面に設けられ、前記第２支持材が挿入される第２溝を有する第２レールと、前記第１溝からの前記第１支持材の抜けを防止する第１抜け防止手段と、前記第２溝からの前記第２支持材の抜けを防止する第２抜け防止手段と、を備え、前記第１レールと前記第２レールとの少なくとも一方が可動式であることにより前記第１レールと前記第２レールとの距離が可変である。
【発明の効果】
【０００９】
本発明によれば、交流電源で駆動できる薄型の照明装置、及びこのような照明装置に適したダクトレールを提供することができる。
【図面の簡単な説明】
【００１０】
【図１】本発明の実施形態に係るダクトレールの概略構成を示す図である。
【図２】図１の正面図である。
【図３】ＡＣ−ＤＣコンバータの取り付け方を説明するための図である。
【図４】照明装置の取り付け方を説明するための図である。
【図５】本発明の実施形態に係る照明装置の概略構成を示す図である。
【図６】図５の底面図である。
【図７】抜け防止手段の別例を示す図である。
【図８】本発明の実施形態に係る照明装置の別例を示す図である。
【図９】可動式のレールを有するダクトレールの一例を示す図である。
【図１０】可動式のレールの移動を規制する機構の一例を示す図である。
【発明を実施するための形態】
【００１１】
以下、本発明の実施形態に係る照明装置及びダクトレールについて、図面を参照して説明する。
【００１２】
本実施形態の照明装置は、図１及び図２（図１の正面図）に示すようなダクトレール１０を備える。ダクトレール１０は、板材１１と、第１レール１２ａ及び第２レール１２ｂと、を有する。なお、図中、Ｚ方向は、板材１１の主面（表裏面）の法線方向（又は板材１１の厚み方向）を指す。一方、Ｘ方向及びＹ方向は、それぞれ板材１１の厚み方向に直交する方向（板材１１の幅方向）を指す。このうち、Ｙ方向は、第１レール１２ａ及び第２レール１２ｂの延びる方向と一致する。板材１１の主面は、Ｘ−Ｙ平面となる。以下、相反する方向を向いた２つの主面を、第１面（矢印Ｚ１側の面）、第２面（矢印Ｚ２側の面）という。
【００１３】
板材１１、第１レール１２ａ、及び第２レール１２ｂは、それぞれ例えば樹脂からなる。第１レール１２ａ及び第２レール１２ｂは、板材１１の両脇に設けられ、板材１１の第１面側に突出する。第１レール１２ａは溝１３ａを有し、第２レール１２ｂは溝１３ｂを有する。板材１１の第２面には、交流電力を直流電力に変換するＡＣ−ＤＣコンバータ２０が設けられる。ＡＣ−ＤＣコンバータ２０は、例えば図３に示すように、板材１１にネジ２０ａで直接的に固定することができる。ＡＣ−ＤＣコンバータ２０の後段（光源ユニット３０側）には、必要に応じてＰＦＣ回路やＤＣ−ＤＣコンバータを設けてもよい。
【００１４】
ＡＣ−ＤＣコンバータ２０は雄コネクタ２１ａを有し、板材１１は雌コネクタ２１ｂを有する。板材１１の内部には、＋電線２２ａ及び−電線２２ｂが配線される。板材１１は、この配線用の通路を有する。雄コネクタ２１ａと雌コネクタ２１ｂとが互いに接続されることにより、ＡＣ−ＤＣコンバータ２０の２つの出力（＋出力、−出力）は、図２に示すように、それぞれ＋電線２２ａ、−電線２２ｂと接続される。
【００１５】
第１レール１２ａの溝１３ａの底部には＋電極２３ａが設置され、第２レール１２ｂの溝１３ｂの底部には−電極２３ｂが設置される。＋電線２２ａは、＋電極２３ａと電気的に接続され、−電線２２ｂは、−電極２３ｂと電気的に接続される。
【００１６】
ダクトレール１０には、図４に示すように、光源ユニット３０が取り付けられる。光源ユニット３０は、面光源３１と、支持材３１ａ、３１ｂと、面光源３１の電極（＋電極３２ａ、−電極３２ｂ）と、を備える。面光源３１は、直流電力で駆動される。面光源３１は、有機ＥＬ（Electro-Luminescence）が好ましい。ただしこれに限定されず、例えば無機ＥＬ等、他の光源を用いてもよい。＋電極３２ａは、支持材３１ａの先端に取り付けられ、−電極３２ｂは、支持材３１ｂの先端に取り付けられる。
【００１７】
溝１３ａに支持材３１ａが挿入され、溝１３ｂに支持材３１ｂが挿入されることで、光源ユニット３０はダクトレール１０に装着される。これにより、＋電極３２ａは＋電極２３ａと電気的に接続され、−電極３２ｂは−電極２３ｂと電気的に接続される。いわば溝１３ａ、１３ｂは、コネクタ（又はソケット）として機能する。なお、この電気的接続の接触不良等を抑制又は防止するためには、支持材３１ａ、３１ｂが十分挿入されたことを知らせる手段を設けることが好ましい。例えば機械的な機構によって、支持材３１ａ、３１ｂが十分挿入されたときに「カチッ」と音が鳴るようにすることが好ましい。
【００１８】
ダクトレール１０は、支持材３１ａ、３１ｂの抜けを防止するための爪１４ａ、１４ｂを有する。支持材３１ａ、３１ｂを溝１３ａ、１３ｂに挿入すると、支持材３１ａ、３１ｂによって押されて、爪１４ａ、１４ｂが外側に弾性変形する。一方、支持材３１ａ、３１ｂの抜けは、弾性変形した爪１４ａ、１４ｂの復元力により、支持材３１ａ、３１ｂの側面に爪１４ａ、１４ｂの先端が食い込むことで防止される。ただし、こうした抜けの規制は解除できる。例えばユーザが手で爪１４ａ、１４ｂを外側に強制的に弾性変形させて上記食い込みを緩和すれば、溝１３ａ、１３ｂから支持材３１ａ、３１ｂを抜くことが可能になる。
【００１９】
ダクトレール１０に光源ユニット３０を取り付けることで、図５（正面図）及び図６（底面図）に示すように、本実施形態の照明装置１００が完成する。面光源３１とＡＣ−ＤＣコンバータ２０とは、板材１１を挟んで対向する。光源ユニット３０は、爪１４ａ、１４ｂによりダクトレール１０に保持されることで、抜けが防止されるとともに、第１レール１２ａ及び第２レール１２ｂをガイドにしてダクトレール１０上をＹ方向（矢印Ｙ１側又は矢印Ｙ２側）にスライド移動できる。これにより、ダクトレール１０上の任意の位置で光源ユニット３０を点灯させることができるため、空間デザインの自由度が高まる。
【００２０】
照明装置１００は、図５に示すように、電線４１を介して交流電源４０（例えば商用電源）に接続される。ＡＣ−ＤＣコンバータ２０には、交流電源４０の交流電力が電線４１を通じて供給される。交流電源４０の交流電力はＡＣ−ＤＣコンバータ２０で直流電力に変換される。そして、その直流電力が＋電線２２ａ、−電線２２ｂ等を通じて光源ユニット３０に供給される。
【００２１】
照明装置１００は、例えば屋外照明、屋内照明、又は電飾等に用いられる。ダクトレール１０は、例えば金具や両面テープ等により、天井や壁等に固定される。照明装置１００は、天井における既存の配線器具（例えば角形引掛シーリング、丸形引掛シーリング、鍔付き引掛埋込ローゼット、又は引掛埋込ローゼット等）を用いて取り付けることができる。
【００２２】
本実施形態の照明装置１００では、ダクトレール１０にＡＣ−ＤＣコンバータ２０を設けるため、交流電源４０を用いる場合であっても、光源ユニット３０を大型化させずに直流駆動の面光源３１を駆動する（点灯させる）ことができる。このため、薄型化に有利な面光源３１の特徴を活かして、光源ユニット３０、ひいては照明装置１００を、薄型化することができる。また、ダクトレール１０そのもののデザイン性を高めるために光源ユニット３０を用いてもよい。
【００２３】
以上、本発明の実施形態に係る照明装置及びダクトレールについて説明したが、本発明は、上記実施形態に限定されない。例えば以下のように変形して実施することもできる。
【００２４】
支持材３１ａ、３１ｂの抜けを防止する手段（第１抜け防止手段、第２抜け防止手段）は、図２等に示した爪１４ａ、１４ｂに限られず、任意である。例えば図７に示すように、第１レール１２ａ（又は第２レール１２ｂ）に爪１４ｃを設け、支持材３１ａ（又は支持材３１ｂ）に爪１４ｄを設けてもよい。この例では、爪１４ｃと爪１４ｄとが係合することで、支持材３１ａ、３１ｂの抜けが規制（係止）される。
【００２５】
図８に示すように、１つのダクトレール１０に、複数（例えば２つ）の光源ユニット３０を設けてもよい。
【００２６】
第１レール１２ａと第２レール１２ｂとの少なくとも一方を可動式にしてもよい。こうすることで、第１レール１２ａと第２レール１２ｂとの距離を自由に設定することができる。
【００２７】
図９に、第１レール１２ａ及び第２レール１２ｂの各々を可動式にした例を示す。この例における板材１１は、第１レール１２ａの支持材１１ａと、第２レール１２ｂの支持材１１ｂと、本体１１ｃと、からなる。支持材１１ａ、支持材１１ｂ、及び本体１１ｃの内部には、＋電線２２ａ及び−電線２２ｂが配線される。支持材１１ａ、支持材１１ｂ、及び本体１１ｃは、それぞれこの配線用の通路を有する。また、本体１１ｃは、支持材１１ａ及び支持材１１ｂが移動するための通路を有する。支持材１１ａ及び１１ｂは、それぞれ本体１１ｃの内部をスライド移動する。これにより、第１レール１２ａ及び第２レール１２ｂは、Ｘ方向に移動可能となる。
【００２８】
支持材１１ａ又は１１ｂのスライド移動は、例えば図１０に示すような機構により、任意の位置で規制することができる。すなわち、ユーザがストッパ１０１を操作することにより、支持材１１ａ又は１１ｂに形成された凹部（切り込み）１０２と、ストッパ１０１の先端１０１ａとを係合させることで、支持材１１ａ又は１１ｂのスライド移動は規制される。また、ユーザがストッパ１０１を操作することにより、その係合（ロック）を外す（解除する）こともできる。
【００２９】
その他の点についても、ダクトレール１０等の構成は、本発明の趣旨を逸脱しない範囲において任意に変更することができる。例えば板材１１と第１レール１２ａ又は第２レール１２ｂとを異なる材料で形成してもよい。
【００３０】
以上、本発明の実施形態について説明したが、設計上の都合やその他の要因によって必要となる様々な修正や組み合わせは、「請求項」に記載されている発明や「発明の実施の形態」に記載されている具体例に対応する発明の範囲に含まれると理解されるべきである。
【産業上の利用可能性】
【００３１】
本発明の照明装置は、屋外照明、屋内照明、又は電飾等に適している。
【符号の説明】
【００３２】
１０  ダクトレール
１１  板材
１１ａ、１１ｂ  支持材
１１ｃ  本体
１２ａ  第１レール
１２ｂ  第２レール
１３ａ  溝（第１溝）
１３ｂ  溝（第２溝）
１４ａ  爪（第１抜け防止手段）
１４ｂ  爪（第２抜け防止手段）
１４ｃ、１４ｄ  爪（第１抜け防止手段又は第２抜け防止手段）
２０  ＡＣ−ＤＣコンバータ
２１ａ  雄コネクタ
２１ｂ  雌コネクタ
２２ａ  ＋電線
２２ｂ  −電線
２３ａ  ＋電極（第１電極）
２３ｂ  −電極（第２電極）
３０  光源ユニット
３１  面光源
３１ａ  支持材（第１支持材）
３１ｂ  支持材（第２支持材）
３２ａ  ＋電極（第３電極）
３２ｂ  −電極（第４電極）
４０  交流電源
４１  電線
１００  照明装置
１０１  ストッパ
１０２  凹部（切り込み）
【図１】
0005495292.tif 000002
【図２】
0005495292.tif 000003
【図３】
0005495292.tif 000004
【図４】
0005495292.tif 000005
【図５】
0005495292.tif 000006
【図６】
0005495292.tif 000007
【図７】
0005495292.tif 000008
【図８】
0005495292.tif 000009
【図９】
0005495292.tif 000010
【図１０】
0005495292.tif 000011